【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
複数の画像を取得する取得手段と、
前記複数の画像から選択された１つ以上の画像を配置するテンプレートを決定する決定手段と、
前記選択された１つ以上の画像を前記決定されたテンプレート内のスロットに配置するためのレイアウト手段と、
を有する画像処理装置であって、
前記決定されたテンプレートが、背景スロットと、前記背景スロットの一部に重なる前景スロットと、を含む場合、前記レイアウト手段は、前記選択された１つ以上の画像のうちの第１画像を、前記背景スロットと前記前景スロットとに配置することを特徴とする画像処理装置。
【請求項２】
前記取得手段が取得した画像を複数の画像群に分割する分割手段を更に有し、
前記決定手段は、前記画像群のそれぞれに対して個別のテンプレートを決定することを特徴とする請求項１に記載の画像処理装置。
【請求項３】
前記分割手段によって分割された前記画像群のそれぞれについて、決定された個別のテンプレートに配置する画像を選択する選択手段を更に有することを特徴とする請求項２に記載の画像処理装置。
【請求項４】
前記決定手段は、前記分割された画像群のうち第１画像群のためのテンプレートとして第１のテンプレートを決定し、
前記選択手段は、前記第１画像群に含まれるすべての画像を、前記第１のテンプレートに配置する画像として選択することを特徴とする請求項３に記載の画像処理装置。
【請求項５】
前記決定されたテンプレートが、前記背景スロットと、前記背景スロットの一部にそれぞれ重なる複数の前景スロットと、を含む場合、前記レイアウト手段は、前記複数の前景スロットにそれぞれ配置される複数の画像のうちいずれかの画像を前記背景スロットに配置することを特徴とする請求項１から４のいずれか１項に記載の画像処理装置。
【請求項６】
前記決定されたテンプレートは、前記背景スロットが見開きのページをまたいで設けられており、前記前景スロットの全ての領域が前記背景スロットと重なることを特徴とする請求項１から５のいずれか１項に記載の画像処理装置。
【請求項７】
前記決定されたテンプレートの前記背景スロットが、見開きの一方のページに設けられ他方のページにはまたがっていない場合、前記他方のページに設けられ且つ前記背景スロットと重ならない前景スロットの画像は、前記背景スロットには配置されないことを特徴とする請求項１から５のいずれか１項に記載の画像処理装置。
【請求項８】
前記背景スロットには、所定のエフェクト処理が施された前記第１画像が配置され、前記前景スロットには、前記所定のエフェクトが施されていない前記第１画像が配置されることを特徴とする請求項１から７のいずれか１項に記載の画像処理装置。
【請求項９】
前記レイアウト手段は、画像に付随された情報に基づいて複数の画像をテンプレートに配置することを特徴とする請求項１から８のいずれか１項に記載の画像処理装置。
【請求項１０】
前記レイアウト手段は、画像を解析した結果に基づいて複数の画像をテンプレートに配置することを特徴とする請求項１から９のいずれか１項に記載の画像処理装置。
【請求項１１】
前記レイアウト手段がレイアウトした結果の画像データを出力するための手段を更に有することを特徴とする請求項１から１０のいずれか１項に記載の画像処理装置。
【請求項１２】
前記背景スロットに配置される前記第１画像は、前記前景スロットに配置される前記第１画像よりも大きな画像であることを特徴とする請求項１から１１のいずれか１項に記載の画像処理装置。
【請求項１３】
前記背景スロットには、一部がトリミングされた前記第１画像が配置されることを特徴とする請求項１から１２のいずれか１項に記載の画像処理装置。
【請求項１４】
画像処理装置の各手段として１以上のコンピュータを機能させるためのプログラムであって、
前記画像処理装置は、
複数の画像を取得する取得手段と、
前記複数の画像から選択された１つ以上の画像を配置するテンプレートを決定する決定手段と、
前記選択された１つ以上の画像を前記決定されたテンプレート内のスロットに配置するためのレイアウト手段と、
を有し、
前記決定されたテンプレートが、背景スロットと、前記背景スロットの一部に重なる前景スロットと、を含む場合、前記レイアウト手段は、前記選択された１つ以上の画像のうちの第１画像を、前記背景スロットと前記前景スロットとに配置することを特徴とするプログラム。
【請求項１５】
前記画像処理装置は、
前記取得手段が取得した画像を複数の画像群に分割する分割手段を更に有し、
前記決定手段は、前記画像群のそれぞれに対して個別のテンプレートを決定することを特徴とする請求項１４に記載のプログラム。
【請求項１６】
前記画像処理装置は、
前記分割手段によって分割された前記画像群のそれぞれについて、決定された個別のテンプレートに配置する画像を選択する選択手段を更に有することを特徴とする請求項１５に記載のプログラム。
【請求項１７】
前記決定手段は、前記分割された画像群のうち第１画像群のためのテンプレートとして第１のテンプレートを決定し、
前記選択手段は、前記第１画像群に含まれるすべての画像を、前記第１のテンプレートに配置する画像として選択することを特徴とする請求項１６に記載のプログラム。
【請求項１８】
前記決定されたテンプレートが、前記背景スロットと、前記背景スロットの一部にそれぞれ重なる複数の前景スロットと、を含む場合、前記レイアウト手段は、前記複数の前景スロットにそれぞれ配置される複数の画像のうちいずれかの画像を前記背景スロットに配置することを特徴とする請求項１４から１７のいずれか１項に記載のプログラム。
【請求項１９】
前記決定されたテンプレートは、前記背景スロットが見開きのページをまたいで設けられており、前記前景スロットの全ての領域が前記背景スロットと重なることを特徴とする請求項１４から１８のいずれか１項に記載のプログラム。
【請求項２０】
前記決定されたテンプレートの前記背景スロットが、見開きの一方のページに設けられ他方のページにはまたがっていない場合、前記他方のページに設けられ且つ前記背景スロットと重ならない前景スロットの画像は、前記背景スロットには配置されないことを特徴とする請求項１４から１８のいずれか１項に記載のプログラム。
【請求項２１】
前記背景スロットには、所定のエフェクト処理が施された前記第１画像が配置され、前記前景スロットには、前記所定のエフェクトが施されていない前記第１画像が配置されることを特徴とする請求項１４から２０のいずれか１項に記載のプログラム。
【請求項２２】
前記レイアウト手段は、画像に付随された情報に基づいて複数の画像をテンプレートに配置することを特徴とする請求項１４から２１のいずれか１項に記載のプログラム。
【請求項２３】
前記レイアウト手段は、画像を解析した結果に基づいて複数の画像をテンプレートに配置することを特徴とする請求項１４から２２のいずれか１項に記載のプログラム。
【請求項２４】
前記レイアウト手段がレイアウトした結果の画像データを出力するための手段を更に有することを特徴とする請求項１４から２３のいずれか１項に記載のプログラム。
【請求項２５】
前記背景スロットに配置される前記第１画像は、前記前景スロットに配置される前記第１画像よりも大きな画像であることを特徴とする請求項１４から２４のいずれか１項に記載のプログラム。
【請求項２６】
前記背景スロットには、一部がトリミングされた前記第１画像が配置されることを特徴とする請求項１４から２５のいずれか１項に記載のプログラム。
【請求項２７】
複数の画像を取得する取得工程と、
前記複数の画像から選択された１つ以上の画像を配置するテンプレートを決定する決定工程と、
前記選択された１つ以上の画像を前記決定されたテンプレート内のスロットに配置するためのレイアウト工程と、
を有する画像処理方法であって、
前記決定されたテンプレートが、背景スロットと、前記背景スロットの一部に重なる前景スロットと、を含む場合、前記レイアウト工程は、前記選択された１つ以上の画像のうちの第１画像を、前記背景スロットと前記前景スロットとに配置することを特徴とする画像処理方法。
【手続補正２】
【補正対象書類名】明細書
【補正対象項目名】０００８
【補正方法】変更
【補正の内容】
【０００８】
そのために本発明は、複数の画像を取得する取得手段と、前記複数の画像から選択された１つ以上の画像を配置するテンプレートを決定する決定手段と、前記選択された１つ以上の画像を前記決定されたテンプレート内のスロットに配置するためのレイアウト手段と、を有する画像処理装置であって、前記決定されたテンプレートが、背景スロットと、前記背景スロットの一部に重なる前景スロットと、を含む場合、前記レイアウト手段は、前記選択された１つ以上の画像のうちの第１画像を、前記背景スロットと前記前景スロットとに配置することを特徴とする。